【手続補正書】
【提出日】平成19年7月20日(2007.7.20)
【手続補正１】
【補正対象書類名】明細書
【補正対象項目名】特許請求の範囲
【補正方法】変更
【補正の内容】
【特許請求の範囲】
【請求項１】 開口を有する上壁部、上壁部の下側に位置した中間側壁部、および中間側壁部の下側に位置し容器を支持するために適合された基部を含むブロー成形多層容器であって、
縦長さおよび内面を有するプラスチック材料から形成された成形内層と、
内層と実質的に同じ広がりを有しリサイクルプラスチックを含む成形外層と、
内層の内面上に形成された炭素被覆とを有してなり、
外層が容器の全重量の少なくとも０．４０の重量からなる、ブロー成形多層容器。
【請求項２】  内層が、ポリエチレン樹脂、ポリプロピレン樹脂、ポリスチレン樹脂、シクロオレフィン共重合樹脂、ポリエチレンテレフタレート樹脂、ポリエチレンナフタレート樹脂、エチレン−（ビニルアルコール）共重合樹脂、ポリ−４−メチルペンテン−１樹脂、ポリ（メチルメタクリレート）樹脂、アクリロニトリル樹脂、塩化ポリビニル樹脂、塩化ポリビニリデン樹脂、スチレン−アクリロニトリル樹脂、アクリロニトリル−ブタジエン−スチレン樹脂、ポリアミド樹脂、ポリアミドイミド樹脂、ポリアセタール樹脂、ポリカーボネート樹脂、ポリブチレンテレフタレート樹脂、アイオノマー樹脂、ポリスルフォン樹脂、ポリテトラフルオロエチレン樹脂、および、これらの樹脂の２種以上の組み合わせからなる群より選ばれた樹脂で構成されたプラスチック材料から形成されている、請求項１に記載のブロー成形多層容器。
【請求項３】  内層が、押し出しおよび熱成形からなる群より選ばれたプロセスから形成され、外層が、射出成形および圧縮成形からなる群より選ばれたプロセスから形成される、請求項１に記載のブロー成形多層容器。
【請求項４】  内層が、未使用プラスチック材料、バリア材料、酸素捕捉材料、および、バリア特性と酸素捕捉特性が組み合わさった材料からなる群より選ばれた材料を含む、請求項１に記載のブロー成形多層容器。
【請求項５】  内層と外層の少なくとも一方が、その縦長さに沿って変化する厚みを有している、請求項１に記載のブロー成形多層容器。
【請求項６】  内層および外層の厚みが、互いに調整自在に変更される、請求項１に記載のブロー成形多層容器。
【請求項７】  容器の中間部分に沿った内層の厚みが、外層の厚みの０．１５よりも小さい、請求項１に記載のブロー成形多層容器。
【請求項８】  炭素被覆の厚みが１０μｍより小さく、炭素被覆の重量が、容器の全重量の約１／１０，０００より小さい、請求項１に記載のブロー成形多層容器。
【請求項９】  炭素被覆が非晶質である、請求項１に記載のブロー成形多層容器。
【請求項１０】  炭素被覆が、略均一な厚み、および、その縦長さに沿って変化する厚みのうちの一方を有している、請求項１に記載のブロー成形多層容器。
【請求項１１】  支持フランジを含む容器の上部と、複数の脚を含む基部との少なくとも一方を含む、請求項１に記載のブロー成形多層容器。
【請求項１２】 開口を有する上壁部と、上壁部の下側に位置した中間側壁部と、中間側壁部の下側に位置し、容器を支持するのに適合された基部とを含むブロー成形多層容器であって、内面および外面を有し、リサイクルプラスチックを含む成形外層と、外層の内面の近傍に形成され且つそれに接着し、実質的に外層と同じ広がりを有する炭素被覆とを更に具備し、前記炭素被覆が約１０ミクロンより小さい厚みを有し、前記容器がリサイクル可能である容器。
【請求項１３】  前記外層が６〜２３ミルの厚みを有し、炭素被覆が０．０５〜１０ミクロンの厚みを有する、請求項１２に記載の容器。
【請求項１４】  外層の厚みが、中間側壁部が上壁部および基部よりも薄いように変化している、請求項１２に記載の容器。
【請求項１５】  外層に付加されたバリア材料を含む、請求項１２に記載の容器。
【請求項１６】  炭素が、少なくとも１つのガス状炭化水素からブロー成形容器の内面上に塗布されたものであるる、請求項１２に記載の容器。
【請求項１７】  炭素被覆が非晶質である、請求項１２に記載の容器。
【請求項１８】  炭素被覆が、略均一な厚み、および、容器の縦長さに沿って変化する厚みのうちの一方を有している、請求項１２に記載の容器。
【請求項１９】  支持フランジを含む容器の上部と、複数の脚を含む基部との少なくとも一方を含む、請求項１２に記載の容器。
【請求項２０】  外層が着色されている、請求項１２に記載の容器。
【請求項２１】  外層が少なくとも７５％のリサイクルプラスチックを含んでいる、請求項１２に記載の容器。
【請求項２２】  炭素被覆で被覆された容器を製造する方法であって、
開口を有する上壁部と、上壁部の下側に位置した中間側壁部と、中間側壁部の下側に位置した基部とを含む容器を供給すること、
容器を収容するために提供された中空空間内に容器を入れること、
容器内の空気を排出して真空にすること、
容器の内部容積を原料ガスで充填すること、および、
容器の内面上に炭素被覆を形成させること、
を有してなる方法。
【請求項２３】  前記容器が、縦長さを有するプラスチック内層と、実質的に内層と同じ広がりを有するリサイクルプラスチックを含む外層とを含む多層容器であり、外層が、容器の全重量の少なくとも０．４０からなる、請求項２２に記載の方法。
【請求項２４】  多層容器が、熱可塑性材料からプラスチック製スリーブを押し出し、スリーブ上に外層を射出成形してプリフォームを形成し、プリフォームをブロー成形して多層容器を形成することによって形成される、請求項２３に記載の方法。
【請求項２５】  内層の厚みがその縦長さに沿って変化する、請求項２３に記載の方法。
【請求項２６】  内層が、バリア材料、酸素捕捉材料、および、バリア特性と酸素捕捉特性が組み合わさった材料からなる群より選ばれた材料を含む、請求項２３に記載の方法。
【請求項２７】  原料ガスが、脂肪族炭化水素、芳香族炭化水素、酸素含有炭化水素、および、これらガスの２種以上の混合物からなる群より選ばれる、請求項２２に記載の方法。
【請求項２８】  容器の内面上への炭素被覆の形成が高周波電源によって誘導される、請求項２２に記載の方法。
【請求項２９】  高周波電源が、内部電極と、負の自己バイアスを生成するための絶縁された外部電極とを含む、請求項２８に記載の方法。
【請求項３０】  容器の内面上への炭素被覆の形成がマイクロ波によって誘導される、請求項２２に記載の方法。
【請求項３１】  前記容器に内容物が入っている、請求項１に記載のブロー成形多層容器。
【請求項３２】  前記容器に食料製品が入っている、請求項１に記載のブロー成形多層容器。
【請求項３３】  前記容器に、ビール、ソフトドリンク、ジュースからなる群から選択された内容物が入っている、請求項１に記載のブロー成形多層容器。
【請求項３４】  前記炭素被覆が容器の内容物の保護を行うものである、請求項１に記載のブロー成形多層容器。
【請求項３５】  前記容器が、容器の内容物内への不都合な風味や味の移行を排除するものである、請求項１に記載のブロー成形多層容器。
【請求項３６】  前記容器が、酸素と二酸化炭素の浸透からの保護を行うものである、請求項１に記載のブロー成形多層容器。
【請求項３７】  前記成形外層が少なくとも４０％のリサイクルプラスチックを含んでいる、請求項１２に記載の容器。
【請求項３８】  前記容器が、リサイクルプラスチックを含む単層容器である、請求項２２に記載の方法。